(57)【特許請求の範囲】
【請求項１】
多方向に傾倒可能な操作部材と、下方に位置して設けられた複数の第１の固定接点と、上方に位置して設けられた共通固定接点と、前記第１の固定接点と前記共通固定接点との間に配置され、前記操作部材の傾倒動作によって、少なくとも前記第１の固定接点の一つに接触可能な第１の可動接点とを備え、前記第１の可動接点は、金属製のバネ板で形成されて、複数の第１と第２の接点部が設けられると共に、前記第１の可動接点が合成樹脂からなる可動部材に取り付けられ、前記可動部材は、平板状で構成されると共に、複数の切り欠き部を有し、前記第１の可動接点は、片持ち支持された状態で、前記切り欠き部に位置する放射状に延びる複数個の腕部を有すると共に、前記腕部の自由端側に前記第２の接点部を設け、前記可動部材の上面には凸状をなした前記第１の接点部が位置し、前記可動部材の下面には前記腕部が位置して、前記操作部材の傾倒動作時、前記可動部材と前記第１の可動接点が前記共通固定接点に接触状態にある凸状をなした二つの前記第１の接点部を支点として傾倒して、少なくとも前記第２の接点部の一つが前記第１の固定接点に摺動動作を伴って接触するようにしたことを特徴とする多方向入力スイッチ。
【請求項２】
前記第１の可動接点は、前記可動部材に取り付けられた基部を有し、この基部から前記腕部が前記基部と同一平面状態で延びて形成されたことを特徴とする請求項１記載の多方向入力スイッチ。
【請求項３】
前記第１の接点部は、正八角形の隅部に配置されると共に、前記腕部は、前記第１の接点部間に十字状に配置され、前記操作部材が八方向の位置で傾倒動作可能としたことを特徴とする請求項１、又は２記載の多方向入力スイッチ。
【請求項４】
前記共通固定接点が一枚の金属板で形成され、この共通固定接点で前記操作部材を保持したことを特徴とする請求項１から３の何れかに記載の多方向入力スイッチ。
【請求項５】
前記操作部材と前記可動部材とが一体に合成樹脂の成型品で形成されたことを特徴とする請求項１から４の何れかに記載の多方向入力スイッチ。
【請求項６】
前記操作部材の下方には、絶縁基体に設けられた第２の固定接点と、この第２の固定接点に接離する第２の可動接点とで構成されるプッシュスイッチが配置され、前記操作部材の操作によって、前記プッシュスイッチが操作されるようにしたことを特徴とする請求項１から５の何れかに記載の多方向入力スイッチ。
【請求項７】
前記第２の可動接点は金属板で形成され、この第２の可動接点で、前記操作部材、前記可動部材、及び前記第１の可動接点を操作前の状態に押し戻すようにしたことを特徴とする請求項６記載の多方向入力スイッチ。
【請求項８】
前記第２の可動接点は金属板で形成されてクリック動作が可能で、前記操作部材の傾倒動作時において、傾倒の第１の段階で、前記第２の接点部が前記第１の固定接点に接触すると共に、傾倒の第２の段階で、前記第２の可動接点がクリック動作して、前記プッシュスイッチが操作されるようにしたことを特徴とする請求項６、又は７記載の多方向入力スイッチ。
【発明の詳細な説明】
【０００１】
【発明の属する技術分野】
本発明は、携帯用電話機、リモコン、自動車のナビゲータ等の電子機器に使用して好適な多方向入力スイッチに関する。
【０００２】
【従来の技術】
従来の多方向入力スイッチは、特許２９１６８６７号公報に開示され、図１２，図１３に示すように、箱形の絶縁基体５１の底壁には、外周に位置した複数の第１の固定接点５２と、中央部に位置した複数の第２の固定接点５３ａ、５３ｂとが設けられている。
金属板が折り曲げ形成された取付板５４は、環状部５４ａと、この環状部５４ａから下方に折り曲げられた脚部５４ｂを有し、この取付板５４は、脚部５４ｂが絶縁基体５１に掛け止めされて、絶縁基体５１に取り付けられている。
【０００３】
合成樹脂の成型品からなる蓋体５５は、内部に軸受け部５５ａを有すると共に、この蓋体５５には、金属板からなる共通固定接点５６が埋設されて取り付けられており、この蓋体５５と共通固定接点５６は、取付板５４の環状部５４ａと絶縁基体５１の上端部で挟持されて取り付けられている。
操作部材５７は、半球状鍔部５８と、この半球状鍔部５８の中心部に挿通された軸部５９の二つの部品で構成され、この操作部材５７は、半球状鍔部５８が軸受け部５５ａで支持された状態で、軸部５９が外方に突出している。
【０００４】
第１の可動接点６０は、金属材をプレス加工して形成された剛体からなり、筒状部６０ａと、この筒状部６０ａの上端から径方向に突出した八角状の鍔部からなる第１の接点部６０ｂと、筒状部の下端部に位置する第２の接点部６０ｃと、筒状部６０ａ内に設けられたリング状の係合部６０ｄとを有する。
また、この第１の可動接点６０は、絶縁基体５１内に配置され、第１の可動接点６０と絶縁基体５１との間に配置されたコイルバネ６１によって、第１の接点部６０ｂが共通固定接点５６に弾接され、係合部６０ｄと操作部材５７との間に配置されたゴム板６２により、第１の可動接点６０がゴム板６２を介して傾倒動作するようになっている。
【０００５】
そして、操作部材５７は八方向に傾倒動作可能となっており、操作部材５７の軸部５９を傾倒動作すると、先ず、半球状鍔部５８が軸受け部５５ａをガイドにして傾倒すると共に、ゴム体６２を介して第１の可動接点６０の係合部６０ｄの一部が押される。
すると、第１の可動接点６０は、第１の接点部６０ｂの外周端を支点として、コイルバネ６１に抗して傾倒し、第２の接点部６０ｃが第１の固定接点５２の一つに接触する。
また、操作部材５７の傾倒動作を解除すると、コイルバネ６１，及びゴム体６２によって、操作部材５７と第１の可動接点６０は元の位置に戻るようになる。
【０００６】
皿状の金属板からなる第２の可動接点６３は、絶縁基体５１の底壁上に載置されて、その外周縁が第２の固定接点５３ａに常時接触すると共に、中央部が第２の固定接点５３ｂに対向して配置され、この第２の可動接点６３と第２の固定接点５３ａ、５３ｂとでプッシュスイッチ６４が構成されている。
合成樹脂の成型品からなるお椀状のガイド部材６５は、第２の可動接点６３を覆うように絶縁基体５１に適宜手段により取り付けられ、ガイド部材６５の中央部に設けられた孔６５ａ内には、軸部５９と第２の可動接点６３と間に位置するゴム板６６が配置されている。
【０００７】
そして、操作部材５７が中立状態にある時、軸部５９を軸線方向に下方に押圧した際、軸部５９が半円球状鍔部５８をガイドにして下方に移動する。
すると、軸部５９がゴム板６６を介して第２の可動接点６３を変形させて、第２の可動接点６３の中央部が第２の固定接点５３ｂに接触して、第２の固定接点５３ａ、５３ｂ間を短絡して、プッシュスイッチ６４が操作される。
また、軸部５９の押圧を解除すると、第２の可動接点６３とゴム板６６によって、軸部５９が元の状態に押し戻されると共に、第２の固定接点５３ａ、５３ｂ間は非短絡状態にもどる。
また、操作部材５７が傾倒動作している時は、軸部５９の軸線方向の移動がガイド部材６５にぶつかって、プッシュスイッチ６４の操作が阻止されている。
【０００８】
次に、従来の多方向入力スイッチの動作を説明すると、先ず、軸部５９の傾倒動作によって、半球状鍔部５８が軸受け部５５ａをガイドにして傾倒すると共に、ゴム体６２を介して第１の可動接点６０の係合部６０ｄの一部が押される。
すると、第１の可動接点６０は、第１の接点部６０ｂの外周端を支点として、コイルバネ６１に抗して傾倒し、第２の接点部６０ｃが第１の固定接点５２の一つに接触する。
また、操作部材５７の傾倒動作を解除すると、コイルバネ６１，及びゴム体６２によって、操作部材５７と第１の可動接点６０は元の位置に戻るようになる。
【０００９】
次に、操作部材５７が中立状態にある時、軸部５９を軸線方向に下方に押圧すると、軸部５９が半円球状鍔部５８をガイドにして下方に移動する。
すると、軸部５９がゴム板６６を介して第２の可動接点６３を変形させて、第２の可動接点６３の中央部が第２の固定接点５３ｂに接触して、第２の固定接点５３ａ、５３ｂ間を短絡して、プッシュスイッチ６４が操作される。
また、軸部５９の押圧を解除すると、第２の可動接点６３とゴム板６６によって、軸部５９が元の状態に押し戻されると共に、第２の固定接点５３ａ、５３ｂ間は非短絡状態にもどる。
【００１０】
このようにして、従来の多方向入力スイッチの操作が行われるが、このような多方向入力スイッチを、例えば携帯電話機に使用した場合、操作部材５７の傾倒動作の操作により所望の情報を選択し、しかる後、操作部材５７の軸線方向の操作により、選択された情報の決定を行うような機能として使用されるものである。
【００１１】
【発明が解決しようとする課題】
従来の多方向入力スイッチは、第１の可動接点６０がプレス加工された剛体で形成されているため、第２の接点部６０ｃと第１の固定接点５２との導通を得るために、操作部材５７の傾倒動作を強く行わねばならず、従って、操作部材５７の操作性が悪いという問題がある。
【００１２】
また、第２の接点部６０ｃと第１の固定接点部５２との間は、通常時、離れた状態にあると共に、両者の接触はバッティング型の接触となって、両者間で摺動作用が無く、従って、埃等の付着によって、両者間の接触が悪くなるという問題がある。
【００１３】
また、従来の多方向入力スイッチは、共通固定接点５６の他に取付板５４を必要とするばかりか、操作部材５７が半円球状鍔部５８と軸部５９の二部品を必要とする等、多数の部品を必要とし、部品点数が多くなって、コスト高になるばかりか、組立性が悪いという問題がある。
【００１４】
そこで、本発明は、操作部材の操作性が良好で、接点間の接触が良く、且つ、部品点数が少なく、安価で組立性の良好な多方向入力スイッチを提供することを目的とする。
【００１５】
【課題を解決するための手段】
上記課題を解決するための第１の解決手段として、多方向に傾倒可能な操作部材と、下方に位置して設けられた複数の第１の固定接点と、上方に位置して設けられた共通固定接点と、前記第１の固定接点と前記共通固定接点との間に配置され、前記操作部材の傾倒動作によって、少なくとも前記第１の固定接点の一つに接触可能な第１の可動接点とを備え、前記第１の可動接点は、金属製のバネ板で形成されて、複数の第１と第２の接点部が設けられると共に、前記第１の可動接点が合成樹脂からなる可動部材に取り付けられ、前記可動部材は、平板状で構成されると共に、複数の切り欠き部を有し、前記第１の可動接点は、片持ち支持された状態で、前記切り欠き部に位置する放射状に延びる複数個の腕部を有すると共に、前記腕部の自由端側に前記第２の接点部を設け、前記可動部材の上面には凸状をなした前記第１の接点部が位置し、前記可動部材の下面には前記腕部が位置して、前記操作部材の傾倒動作時、前記可動部材と前記第１の可動接点が前記共通固定接点に接触状態にある凸状をなした二つの前記第１の接点部を支点として傾倒して、少なくとも前記第２の接点部の一つが前記第１の固定接点に摺動動作を伴って接触するようにした構成とした。
【００１６】
また、第２の解決手段として、前記第１の可動接点は、前記可動部材に取り付けられた基部を有し、この基部から前記腕部が前記基部と同一平面状態で延びて形成された構成とした。
【００１７】
また、第３の解決手段として、前記第１の接点部は、正八角形の隅部に配置されると共に、前記腕部は、前記第１の接点部間に十字状に配置され、前記操作部材が八方向の位置で傾倒動作可能とした構成とした。
【００１８】
また、第４の解決手段として、前記共通固定接点が一枚の金属板で形成され、この共通固定接点で前記操作部材を保持した構成とした。
また、第５の解決手段として、前記操作部材と前記可動部材とが一体に合成樹脂の成型品で形成された構成とした。
また、第６の解決手段として、前記操作部材の下方には、絶縁基体に設けられた第２の固定接点と、この第２の固定接点に接離する第２の可動接点とで構成されるプッシュスイッチが配置され、前記操作部材の操作によって、前記プッシュスイッチが操作されるようにした構成とした。
【００１９】
また、第７の解決手段として、前記第２の可動接点は金属板で形成され、この第２の可動接点で、前記操作部材、前記可動部材、及び前記第１の可動接点を操作前の状態に押し戻すようにした構成とした。
また、第８の解決手段として、前記第２の可動接点は金属板で形成されてクリック動作が可能で、前記操作部材の傾倒動作時において、傾倒の第１の段階で、前記第２の接点部が前記第１の固定接点に接触すると共に、傾倒の第２の段階で、前記第２の可動接点がクリック動作して、前記プッシュスイッチが操作されるようにした構成とした。
【００２０】
【発明の実施の形態】
本発明の多方向入力スイッチの図面を説明すると、図１〜図１１は何れも本発明の多方向入力スイッチに係り、図１は本発明の多方向入力スイッチの要部断面図、図２は本発明の多方向入力スイッチの動作を示す説明図、図３は本発明の多方向入力スイッチの動作を示す説明図である。
【００２１】
また、図４は本発明の多方向入力スイッチに係る絶縁基体の平面図、図５は図４の５−５線における断面図、図６は本発明の多方向入力スイッチに係る第２の可動接点の平面図、図７は図６の７−７線における断面図、図８は本発明の多方向入力スイッチに係る共通固定接点の平面図、図９は図８の９−９線における断面図、図１０は本発明の多方向入力スイッチに係る操作部材と可動部材の平面図、図１１は図１０の１１−１１線における断面図である。
【００２２】
次に、本発明の多方向入力スイッチの構成を図１〜図１１に基づいて説明すると、箱形の絶縁基体１は、図１，図４，図５に示すように、正八角形状をなした底壁１ａと、この底壁１ａから直立して形成された正八角形状の筒状の側壁１ｂと、底壁１ａに設けられた複数個の凹部１ｃとを有する。
複数個の第１の固定接点２は金属板で形成され、この第１の固定接点２は、図１，図４，図５に示すように、底壁１ａに埋設されて取り付けられ、接点部２ａが底壁１ａ上の一段高い突部分に露出すると共に、端子部２ｂが側壁１ｂから外方に突出している。
また、この第１の固定接点２は、凹部１ｃに位置した金型（図示せず）により保持された状態で絶縁基体１に埋設されて、９０度の間隔をおいて十字の位置で底壁１ａに配設されている。
【００２３】
複数の第２の固定接点３，４は金属板で形成され、図１，図４，図５に示すように、それぞれ、接点部３ａ、４ａと、端子部３ｂ、４ｂと、接点部と端子部の両者を繋ぐ接続部３ｃ、４ｃとを有し、そして、第２の固定接点３、４は、それぞれ底壁１ａに埋設されて取り付けられると共に、一方の第２の固定接点３は、底壁１の中央部に接点部３ａが露出して配置された状態で、端子部３ｂが側壁１ｂから外方に突出している。
なお、接点部４ａは、接続部４ｃの面、即ち、底壁１ａの面から突出して形成されている。
【００２４】
また、他方の第２の固定接点４は、第２の固定接点３の接点部３ａを囲むように配置されて、接点部４ａが底壁１ａ上から露出すると共に、端子部４ｂが側壁１ｂから外方に突出している。
そして、第２の固定接点３，４は、前記第１の固定接点２と同様に、凹部１ｃに位置した金型（図示せず）により保持された状態で絶縁基体１に埋設されたものとなっている。
【００２５】
一枚の金属板を折り曲げして形成された共通固定接点５は、図１，図８，図９に示すように、正八角形状の前面板５ａと、この前面板５ａの中央部に設けられた孔５ｂを有する筒状の保持部５ｃと、前面板５ａの外周部から下方に折り曲げられた複数の脚部５ｄと、この脚部５ｄの端部に折り曲げ形成された端子部５ｅとを有する。
そして、この共通固定接点５は、前面板５ａで絶縁基体１の上部を覆った状態で、脚部５ｄを側壁１ｂに沿って配置して、適宜手段により絶縁基体１に取り付けられている。
【００２６】
合成樹脂の成型品からなる操作部材６は、図１，図１０，図１１に示すように、操作部６ａと、軸部６ｂとを有し、また、合成樹脂の成型品からなる可動部材７は、操作部材６と一体に合成樹脂の成型品で構成されて、略正八角形状に形成されている。
そして、操作部材６が可動部材７の中央部に位置すると共に、平板状をなす可動部材７は、図１，図１０，図１１に示すように、中央部に位置する基部７ａと、この基部７ａから十字方向に放射状に延びる複数の切り欠き部７ｂと、切り欠き部７ｂ間に位置するそれぞれの突出部７ｃの外周中央部に設けられた凹部７ｄと、この凹部７ｄの両側に位置して形成され、正八角形状の隅部に相当する凸部７ｅとを有する。
なお、切り欠き部７ｂ、凹部７ｄは、絶縁基体１の底壁１ａの接点部２ａ等を形成した突部分の幅より広幅に形成されている。
【００２７】
また、金属製のバネ板で形成された第１の可動接点８は、図１，図１０，図１１に示すように、中央部に位置する基部８ａと、この基部８ａから十字方向に放射状に延びる複数の腕部８ｂと、この腕部８ｂ間に位置し、基部８ａから延びる略Ｙ字状の複数の接続部８ｃと、この接続部８ｃの端部に設けられた凸状の複数の第１の接点部８ｄと、それぞれの腕部８ｂの自由端側に設けられた第２の接点部８ｅとを有する。
そして、凸状のそれぞれの第１の接点部８ｄは、基部８ａの中心に対して点対称の位置で、等間隔（等しい角度）の位置に設けられたものとなっている。
【００２８】
この第１の可動接点８は、基部８ａの中央部と接続部８ｃが埋設されて可動部材７に取り付けられ、第１の可動接点８が取り付けられた際、基部８ａと腕部８ｂが可動部材７の下面の位置で、同一平面状態で配置されると共に、腕部８ｂは、可動部材７の基部７ａで片持ち支持された状態で、切り欠き部７ｂに位置し、また、凸状の第１の接点部８ｄは、可動部材７の上面で、凸部７ｅに位置して配置されている。
【００２９】
そして、この第１の可動接点８を取り付けた可動部材７と操作部材６は、可動部材７と第１の可動接点８が共通可動接点５の下面に位置した状態で側壁１ｂ内に収納され、また、軸部６ｂが孔５ｂ内に位置すると共に、操作部６ａが外方に突出して、絶縁基体１と共通固定接点５とによって、傾倒動作と軸方向の移動が可能に取り付けられている。
【００３０】
また、可動部材７等が取り付けられた際、第１の接点部８ｄは共通固定接点５の前面板５ａの下面に接触すると共に、第２の接点部８ｅは第１の固定接点２に対向した状態となり、また、可動部材７の中央部が第２の固定接点３ａの接点部３ａに対向した状態となっている。
【００３１】
図１，図６，図７に示すように、皿状の金属板からなり、クリック動作の可能な第２の可動接点９は、絶縁基体１の底壁１ａに配置されて、その外周縁が第２の固定接点４ａの接点部４ｂに常時接触すると共に、中央部が第２の固定接点３の接点部３ａに対向して配置され、この第２の可動接点９と第２の固定接点３，４とでプッシュスイッチ１０が構成されている。
【００３２】
そして、このプッシュスイッチ１０は、操作部材６の下方に配設されており、第２の可動接点９が取り付けられた際、第２の可動接点９の中央部で可動部材７を上方に押圧して、共通固定接点５に各第１の接点部８ｄが接触した状態にある中立位置に、操作部材６が位置した状態となっている。
そして、このような構成を有する操作部材６は、八方向に傾倒動作可能となっており、操作部材６の操作部６ａを傾倒すると、傾倒側と反対側に位置する二つの凸状の第１の接点部８ｄを支点として、操作部材６と可動部材７、及び第１の可動接点８が傾倒するようになっている。
【００３３】
次に、本発明の多方向入力スイッチの動作を説明すると、先ず、図２に示すように、操作部６ａを第２の可動接点９のバネ性に抗して左側に傾倒すると、傾倒方向と反対側に位置する右側の二つの第１の接点部８ｄを支点として、操作部材６と可動部材７，及び第１の可動接点８が傾倒する。
すると、第１の可動接点８の腕部８ｂが第１の固定接点２に接触した時点から漸次撓み、腕部８ｂに設けられた第２の接点部８ｅが第１の固定接点２の接点部２ａに摺動動作を行いながら接触し、第１の固定接点２と共通固定接点５との間が導通状態となる。
【００３４】
また、操作部材６の傾倒動作を解除すると、第２の可動接点９のバネ性によって、操作部材６と可動部材７，及び第１の可動接点８は元の位置に戻って、操作部材６は中立状態となると共に、第１の固定接点２と共通固定接点５との間が非導通状態となる。
【００３５】
そして、このような動作時、即ち、傾倒の第１段階での動作時において、図１０で示すように、腕部８ｂが延びる方向での傾倒動作時は、切り欠き部７ｂの両側に位置する二つの第１の接点部８ｄを支点として傾倒して、腕部８ｂが撓むことに伴って一つの第２の接点部８ｅが第１の固定接点２に摺動しながら接触し、また、腕部８ｂ間、即ち、凹部７ｄでの傾倒動作時は、凹部７ｄの両側に位置する二つの第１の接点部８ｄを支点として傾倒して、二つの腕部８ｂが撓むことに伴って二つの第２の接点部８ｅが第１の固定接点２に摺動しながら接触するようになっている。
【００３６】
次に、傾倒の第１段階目にある図２の状態で、更に傾倒動作（傾倒の第２段階目）を行うと、図３に示すように、可動部材７の下面で第２の可動接点９が更に押されて、第２の可動接点がクリック動作して反転し、その結果、第２の可動接点９の中央部が第２の固定接点３の接点部３ａに接触して、第２の固定接点３と４が導通した状態となる。
即ち、操作部材６は２段階に傾倒可能となっていて、２段階目の傾倒によってプッシュスイッチ１０が操作された状態となり、また、その際に腕部８ｂは更に撓み、接点部２ａとより強く当接する。
また、操作部材６の２段階目における傾倒動作は、凸部７ｅの下面が底壁１ａにぶつかって、それ以上の動作が阻止されるようになっている。
【００３７】
また、操作部材６の傾倒動作、即ち、第２段階の傾倒動作を解除すると、第２の可動接点９のバネ性によって、第２の可動接点９は反転して元の状態に自己復帰し、第２の可動接点９は第２の固定接点３と非接触状態となり、第２の固定接点３と４が非導通した状態となり、また、続いて第１段階の傾倒動作を解除すると、前述したように、第２の可動接点９のバネ性によって、操作部材６と可動部材７，及び第１の可動接点８は元の位置に戻って、操作部材６は中立状態となると共に、第１の固定接点２と共通固定接点５との間が非導通状態となる。
【００３８】
次に、図１に示すように、操作部材６が中立状態にある時、操作部６ａを軸線方向に下方に押圧すると、可動部材７の下面で第２の可動接点９が押されて、第２の可動接点がクリック動作して反転し、その結果、第２の可動接点９の中央部が第２の固定接点３の接点部３ａに接触して、第２の固定接点３と４が導通した状態となる。
【００３９】
また、操作部材６の軸線方向の押圧を解除すると、第２の可動接点９のバネ性によって、第２の可動接点９は反転して元の状態に自己復帰し、第２の可動接点９は第２の固定接点３と非接触状態となり、第２の固定接点３と４が非導通した状態となると共に、第２の可動接点９のバネ性によって、操作部材６と可動部材７，及び第１の可動接点８は元の位置に戻って、操作部材６は中立状態となる。
【００４０】
このようにして、本発明の多方向入力スイッチの操作が行われるが、このような多方向入力スイッチを、例えば携帯電話機に使用した場合、操作部材６の傾倒動作により所望の情報を選択し、しかる後、操作部材６の軸線方向の操作、又は傾倒の第１段階に引き続いた第２の段階により、選択された情報の決定を行うような機能として使用されるものである。
特に、操作部材６の第１段階目の傾倒動作で情報の選択を行った後、引き続いて第２段階目の傾倒動作で決定を行うことにより、一層、操作性の良好なものとなる。
なお、第１段階と第２段階の一連の動作によって選択するようにしても良く、この場合には、クリック感を伴って所望の情報を選択できる。
【００４１】
【発明の効果】
本発明の多方向入力スイッチにおいて、第１の可動接点８は金属製のバネ板で形成されて、複数の第１と第２の接点部８ｄ、８ｅが設けられると共に、第１の可動接点８が合成樹脂からなる可動部材７に取り付けられ、操作部材６の傾倒動作時、可動部材７と第１の可動接点８が共通固定接点５に接触状態にある第１の接点部８ｄを支点として傾倒して、少なくとも第２の接点部８ｅの一つが第１の固定接点２に摺動動作を伴って接触するようにしたため、操作部材６の比較的弱い傾倒動作で第１の可動接点８と第１の固定接点２との導通が図れ、従来に比して、操作性の良好な多方向入力スイッチを提供できる。
【００４２】
また、第２の接点部９ｅと第１の固定接点２との間は、通常時、離れた状態にあるが、両者の接触は摺動動作を行うため、埃等の付着物があっても、摺動動作によりその接触が良好になる。
【００４３】
また、可動部材７は、平板状で構成されると共に、複数の切り欠き部７ｂを有し、第１の可動接点８は、片持ち支持された状態で、切り欠き部７ｂに位置する放射状に延びる腕部８ｂを有すると共に、腕部８ｂの自由端側に第２の接点部８ｅを設けたため、腕部８ｂの撓み性が良く、第２の接点部８ｅによる第１の固定接点２への接触、及び摺動動作が良好になる。
【００４４】
また、第１の可動接点８は、可動部材７に取り付けられた基部８ａを有し、この基部８ａから腕部８ｂが基部８ａと同一平面状態で延びて形成されたため、腕部８ｂ形成のための折り曲げ加工が不要となり、腕部８ｂのバネ特性が良好で、長期の使用に好適なものを提供できる。
【００４５】
また、可動部材７の上面には凸状をなした第１の接点部８ｄが位置し、可動部材７の下面には腕部８ｂが位置して、可動部材７と第１の可動接点８が凸状をなした二つの第１の接点部８ｄを支点として傾倒可能としたため、可動部材７と第１の可動接点８の傾倒動作が安定し、常に、正確な傾倒動作ができると共に、第２の接点部８ｅの第１固定接点２への接触の確実な多方向入力スイッチを提供できる。
【００４６】
また、第１の接点部８ｄは、正八角形の隅部に配置されると共に、腕部８ｂは、第１の接点部８ｄ間に十字状に配置され、操作部材６が八方向の位置で傾倒動作可能としたため、操作部材６の八方向への傾倒動作時、二つの第１の接点部８ｄを支点として操作部材６，可動部材７、及び第１の可動接点８が正確に八方向に傾倒して、常に、正確な傾倒動作ができると共に、第２の接点部８ｅの第１固定接点２への接触の確実な多方向入力スイッチを提供できる。
【００４７】
また、共通固定接点５が一枚の金属板で形成され、この共通固定接点５で操作部材６を保持したため、従来に比して、部品点数を少なくできて、安価で、組立性の良好な多方向入力スイッチを提供できる。
【００４８】
また、操作部材６と可動部材７とが一体に合成樹脂の成型品で形成されたため、従来に比して一層、部品点数を少なくできて、安価で、組立性の良好な多方向入力スイッチを提供できる。
【００４９】
また、操作部材６の下方には、絶縁基体１に設けられた第２の固定接点３，４と、この第２の固定接点３，４に接離する第２の可動接点９とで構成されるプッシュスイッチ１０が配置され、操作部材６の操作によって、プッシュスイッチ１０が操作されるようにしたため、多種の機能の操作ができる多方向入力スイッチを提供できる。
【００５０】
また、第２の可動接点９は金属板で形成され、この第２の可動接点９で、操作部材６、可動部材７、及び第１の可動接点８を操作前の状態に押し戻すようにしたため、第２の可動接点９を復帰用の部材に兼用できて、部品点数が少なく、安価で、且つ、組立性が良く、薄型で、小型のものを提供できる。
【００５１】
また、第２の可動接点９は金属板で形成されてクリック動作が可能で、操作部材６の傾倒動作時において、傾倒の第１の段階で、第２の接点部８ｅが第１の固定接点２に接触すると共に、傾倒の第２の段階で、第２の可動接点９がクリック動作して、プッシュスイッチ１０が操作されるようにしたため、傾倒動作の連続よりプッシュスイッチ１０の操作ができて、操作性の良好な多方向入力スイッチを提供できる。
【図面の簡単な説明】
【図１】本発明の多方向入力スイッチの要部断面図。
【図２】本発明の多方向入力スイッチの動作を示す説明図。
【図３】本発明の多方向入力スイッチの動作を示す説明図。
【図４】本発明の多方向入力スイッチに係る絶縁基体の平面図。
【図５】図４の５−５線における断面図。
【図６】本発明の多方向入力スイッチに係る第２の可動接点の平面図。
【図７】図６の７−７線における断面図。
【図８】本発明の多方向入力スイッチに係る共通固定接点の平面図。
【図９】図８の９−９線における断面図。
【図１０】本発明の多方向入力スイッチに係る操作部材と可動部材の平面図。
【図１１】図１０の１１−１１線における断面図。
【図１２】従来の多方向入力スイッチの要部断面図。
【図１３】従来の多方向入力スイッチの分解斜視図。
【符号の説明】
１  絶縁基体
１ａ  底壁
１ｂ  側壁
１ｃ  凹部
２  第１の固定接点
２ａ  接点部
２ｂ  端子部
３  第２の固定接点
３ａ  接点部
３ｂ  端子部
３ｃ  接続部
４  第２の固定接点
４ａ  接点部
４ｂ  端子部
４ｃ  接続部
５  共通固定接点
５ａ  前面板
５ｂ  孔
５ｃ  保持部
５ｄ  脚部
５ｅ  端子部
６  操作部材
６ａ  操作部
６ｂ  軸部
７  可動部材
７ａ  基部
７ｂ  切り欠き部
７ｃ  突出部
７ｄ  凹部
７ｅ  凸部
８  第１の可動接点
８ａ  基部
８ｂ  腕部
８ｃ  接続部
８ｄ  第１の接点部
８ｅ  第２の接点部
９  第２の可動接点
１０  プッシュスイッチ
【図１】
0003948882.tif 000002
【図２】
0003948882.tif 000003
【図３】
0003948882.tif 000004
【図４】
0003948882.tif 000005
【図５】
0003948882.tif 000006
【図６】
0003948882.tif 000007
【図７】
0003948882.tif 000008
【図８】
0003948882.tif 000009
【図９】
0003948882.tif 000010
【図１０】
0003948882.tif 000011
【図１１】
0003948882.tif 000012
【図１２】
0003948882.tif 000013
【図１３】
0003948882.tif 000014